(57)【要約】【課題】簡便に、バリの誤混入のおそれを大幅に軽減でき、想定外に誤混入が生じた場合でも、次善として、誤飲に対し安全を確保できるチューブ容器を提供する。【解決手段】チューブ容器は、本体部１と、端部２と、開封溝３と、係合穴部４とを備える。係合穴部４は、係合穴４１を有する。係合穴４１に対応する丸バリ４２は、不要なものであり、ブロー成形直後に除去する。丸バリ４２は、リング状に成形されるリングバリ４３と、リングバリ４３に内包されるセンターバリ４４と、リングバリ４３とセンターバリ４４とを連結する連結部４５とを有する。打ち抜きピンによりセンターバリ４４を打ち抜くと、連結部４５を介して、センターバリ４４は下方に回動し、センター空間４８が形成される。【選択図】図２
2015074491.tif 000002
【特許請求の範囲】
【請求項１】
充填された内容物を収容する本体部と、
該内容物を充填した後に密封される開口を有する端部と、
前記本体部と前記端部とを連結し、該内容物を取り出す前に前記本体部と前記端部とを切り離して開封される開封溝と、
前記端部に設けられ、開封の際に指を係合する係合穴を有する係合穴部を備え、かつ、
前記係合穴を形成する際に不要になる係合穴バリを含むバリ部を有し、
前記係合穴バリは、
該係合穴バリ中央付近にある内バリと、
該内バリを内包するように成形される外バリと、
該内バリと該外バリとを連結する連結部と、
を有する
ことを特徴とするチューブ容器。
【請求項２】
前記連結部は、連結直交方向に設けられる溝を有する
ことを特徴とする請求項１記載のチューブ容器。
【請求項３】
前記係合穴バリは、突起部を有する
ことを特徴とする請求項１〜２記載のチューブ容器。
【請求項４】
充填された内容物を収容する本体部と、
該内容物を充填した後に密封される開口を有する端部と、
前記本体部と前記端部とを連結し、該内容物を取り出す前に前記本体部と前記端部とを切り離して開封される開封溝と、
前記端部に設けられ、開封の際に指を係合する係合穴を有する係合穴部を備え、かつ、
前記係合穴を形成する際に不要になる係合穴バリを含むバリ部を有し、
前記係合穴バリは、
該係合穴バリ中央付近にある内バリと、
該内バリを内包するように成形される外バリと、
該内バリと該外バリとを連結する連結部と、
を有する
チューブ容器の成形方法であって、
前記外バリを保持しつつ、前記内バリを打ち抜き、前記連結部を介して前記係合穴バリを変形させ、
前記係合穴バリを打ち抜き、前記係合穴バリを前記係合穴から分離させる
ことを特徴とするチューブ容器の成形方法。
【発明の詳細な説明】
【技術分野】
【０００１】
本発明は、内容物を充填するためのチューブ容器に関する。
【背景技術】
【０００２】
従来、凍らせたり、冷やしたりした可塑性を有する冷菓など内容物を充填するため、チューブ容器が用いられている。チューブ容器は可撓性を有し、チューブ容器を変形させることにより、効率よく充填物を押し出すことができる利点を有する。
【０００３】
チューブ容器は、概略構成として、本体部と、端部と、本体部と端部とを連結する開封溝と、端部に設けられ開封の際に指を係合する係合穴とを備える。また、チューブ容器成型直後、端部は開口を有する。この状態で、チューブ容器は、成形工場から食品工場に出荷される。
【０００４】
食品工場において、端部開口を介して冷菓等を充填し、端部開口を密封する。この状態で、冷菓は、食品工場から販売店に出荷される。
【０００５】
消費者は、販売店で冷菓を購入する。消費者が係合穴に指を係合させて力を付加すると、応力は開封溝に集中し、本体部と端部とが切り離される。これにより、本体部頭側に開口が形成される。
【０００６】
消費者は、チューブ容器の本体部尻側を押圧することにより、充填物（冷菓）を頭側に押し出しながら、本体部開口を介して冷菓を食す。
【０００７】
ところで、このような冷菓の消費者は子供であることが多い。従って、本体部開口のサイズ（例えば直径１５ｍｍ程度）は、子供の口のサイズを考慮して検討されている。また、係合穴のサイズ（例えば直径１６ｍｍ程度）は、子供の指のサイズを考慮して検討されている。また、本体部開口のサイズと端部開口のサイズはほぼ同じである。その結果、端部開口のサイズと係合穴のサイズは、ほぼ同じになる（場合によっては、係合穴のサイズは端部開口のサイズより小さくなる）。
【０００８】
一方で、チューブ容器成形工程において、係合穴を成形する際は、係合穴に対応する不要部分であるバリを打ち抜き、バリを分離する。分離されたバリは別途回収される。しかし、バリは係合穴と同サイズ（端部開口のサイズとほぼ同じ、場合によっては、端部開口のサイズより小さい）ため、バリの誤混入のおそれが僅かながらあった。すなわち、バリが飛散し、端部開口を介してチューブ容器本体部内に混入するおそれがある。バリが誤混入したチューブ容器に冷菓を充填して出荷すると、消費者が誤飲するおそれがある。
【０００９】
なお、チューブ容器成形工程の良品排出工程の前に、誤混入のチェクを徹底している。しかし、バリとチューブ容器本体は同じ材質であるため、一度誤混入が生じると、対応できないおそれもある。
【００１０】
これに対し、バリの誤混入のおそれを軽減する技術が提案されている（例えば、特許文献１）。特許文献１においては、チューブ容器成形工程において、バリを端部開口から誤混入しないサイズに膨張させる。これにより、バリの誤混入のおそれを軽減している。
【先行技術文献】
【特許文献】
【００１１】
【特許文献１】特許第３８１６５００号公報
【発明の概要】
【発明が解決しようとする課題】
【００１２】
特許文献１の技術は、バリを端部開口から誤混入しないサイズに膨張させ、バリの誤混入のおそれを軽減するものである。したがって、バリを膨張させる手段（構成）と工程が必須である。手段および工程を新たに付加することにより、チューブ容器成型工程が複雑になったり、製造コストが高くなったり、といった新たな課題が生じる。
【００１３】
ところで、バリの誤混入は、バリの誤飲を引き起こすおそれがあり、消費者の安全には最も配慮すべきである。しかしながら、現実には、想定外の不具合が生じることもある。想定外の不具合に対し、事前に完璧な安全対策を取ることは難しい。例えば、特許文献１の技術においても、想定外の要因により膨張が萎んでしまうおそれもある。したがって、誤混入に対する安全対策だけでなく、想定外に誤混入が生じた場合、次善として、誤飲に対する安全対策も検討しておく必要がある。特許文献１は、誤混入に対する技術であるが、誤飲に対応する技術ではない。
【００１４】
本発明は、上記課題を解決するものであり、簡便に、バリの誤混入のおそれを大幅に軽減できるチューブ容器を提供することを目的とする。
【００１５】
また、本発明は、想定外に誤混入が生じた場合でも、次善として、誤飲に対し安全を確保できるチューブ容器を提供することを目的とする。
【課題を解決するための手段】
【００１６】
上記の目的を達成するために、本発明のチューブ容器は、充填された内容物を収容する本体部と、該内容物を充填した後に密封される開口を有する端部と、前記本体部と前記端部とを連結し、該内容物を取り出す前に前記本体部と前記端部とを切り離して開封される開封溝と、前記端部に設けられ、開封の際に指を係合する係合穴を有する係合穴部を備え、かつ、前記係合穴を形成する際に不要になる係合穴バリを含むバリ部を有し、前記係合穴バリは、該係合穴バリ中央付近にある内バリと、該内バリを内包するように成形される外バリと、該内バリと該外バリとを連結する連結部と、を有する。
【００１７】
内バリが連結部を介して回動することにより、係合穴バリの実質的な体積は大きくなる。これにより、バリの誤混入を防止できる。さらに、誤飲が生じて係合穴バリが気管に誤混入した場合でも、内バリ位置に相当するセンター空間により、気道が確保される。これにより、誤飲に対する安全を確保できる。
【００１８】
なお、本発明は、基本構成や基本工程に簡易な構成と簡単な工程を付加したものである。
【００１９】
好ましくは、前記連結部は、連結直交方向に設けられる溝を有する。
【００２０】
これにより、係合穴バリは容易に変形する。
【００２１】
また、好ましくは、前記係合穴バリは、突起部を有する。
【００２２】
これにより、誤飲時、消費者は違和感により誤飲に気付く。
【００２３】
上記の目的を達成するために、本発明のチューブ容器の製造方法は、前記外バリを保持しつつ、前記内バリを打ち抜き、前記連結部を介して前記係合穴バリを変形させ、前記係合穴バリを打ち抜き、前記係合穴バリを前記係合穴から分離させる。
【発明の効果】
【００２４】
本発明によれば、簡便に、バリの誤混入のおそれを大幅に軽減できる。すなわち、工程が複雑になることもなく、製造コストも高くなることはない。
【００２５】
また、本発明によれば、想定外に誤混入が生じた場合でも、次善として、誤飲に対し安全を確保できる。
【図面の簡単な説明】
【００２６】
【図１】チューブ容器平面図
【図２】丸バリ平面図
【図３】丸バリ側面図（一部断面図）
【図４】係合穴バリ変形例
【発明を実施するための形態】
【００２７】
以下、図面を参照にしながら、本発明の実施形態を説明する。
【００２８】
〜基本構成〜
図１は、本実施形態に係るチューブ容器の概略構成図である。２本のチューブ容器が、分離可能に結合されている。チューブ容器は、基本構成として、本体部１と、端部２と、開封溝３と、係合穴部４とを備える。
【００２９】
チューブ容器は、凍らせたり、冷やしたりした可塑性を有する冷菓などを充填するために用いられる。
【００３０】
本体部１は、充填された冷菓を収容する。端部２と連続し、端部２から末広がりに拡幅する本体頭部１１と、充填する冷菓の速やかな冷凍を達成するために設けられる複数の縦溝が形成された第１縦溝部１２および第２縦溝部１４と、第１縦溝部１２と第２縦溝部１４との間の本体中間部１３とからなる。
【００３１】
端部２は、開封溝３を介して本体部１と連結されている。端部２は端部開口２１を有し、端部開口２１は冷菓を充填した後に密封される。
【００３２】
開封溝３は、本体部と端部とを連結する。また、径方向において内方に張り出すように形成されている。
【００３３】
係合穴部４は、端部２に設けられ開封の際に指を係合する係合穴４１を有する。
【００３４】
この状態で、チューブ容器は、成形工場から食品工場に出荷される。食品工場において、端部開口２１を介して冷菓等が充填され、端部開口２１が密封される。さらに、冷菓は、食品工場から販売店に出荷される。
【００３５】
係合穴４１を介して開封溝３に外力が作用すると、開封溝３に応力が集中し本体部１と端部２とが切り離される。これにより、本体部１に開口１５が形成される。
【００３６】
消費者は、チューブ容器の本体部尻側１３，１４を押圧することにより、充填物を頭側に押し出しながら、本体部開口１５を介して冷菓を食す。
【００３７】
一方、ブロー成形直後の状態では、チューブ容器には、係合穴４１に対応する丸バリ４２と、２つのチューブ容器間に介在する中バリ１６とが付いている。丸バリ４２、中バリ１６は、不要なものであり、ブロー成形直後に除去する。
【００３８】
なお、係合穴４１サイズ（径）は、端部開口２１サイズ（径）の０．８〜１．２倍程度が好ましい。市販モデルでは、１．０５倍である。したがって、丸バリ４２が端部開口２１を介してチューブ容器内に混入するおそれは少ない。しかし、端部開口２１が楕円状に潰れている場合、端部開口２１の入口が、丸バリ４２サイズ（径）より大きくなる可能性がある。さらに、消費者の安全には最も配慮すべきであり、想定外に誤混入が生じることも考慮して、対策を検討する必要がある。
【００３９】
〜特徴構成〜
図２は、丸バリ４２の詳細図である。
【００４０】
丸バリ４２は、リング状に成形されるリングバリ４３と、リングバリ４３に内包されるセンターバリ４４と、リングバリ４３とセンターバリ４４とを周の一部にて連結する連結部４５とを有する。
【００４１】
連結部４５には、連結直交方向に溝４６が設けられている。
【００４２】
センターバリ４４直径は、リングバリ４３直径の１／３以上であることが好ましい。
【００４３】
リングバリ４３には、周方向に複数（図示７つ）の０．３〜０．５ｍｍの突起４７が配置されている。
【００４４】
〜バリ除去方法〜
丸バリ４２、中バリ１６は、不要なものであり、ブロー成形直後に除去する。以下、詳細を説明する。
【００４５】
ブロー成形直後において、リングバリ４３とセンターバリ４４とは連結部４５以外でも周方向に連結している。この状態で、リングバリ４３を下方より保持しつつ、打ち抜きピンにより上方よりセンターバリ４４を打ち抜く。これにより、連結部４５以外の周方向において連結が分断される。連結部４５では、連結直交方向に溝４６が設けられているため、変形が容易である。これにより、丸バリ４２は変形する。すなわち、連結部４５を介して、センターバリ４４は下方に回動し、センターバリ４４の当所位置に相当するセンター空間４８が形成される。
【００４６】
図３は、丸バリ４２の変形状態を示す側面図（一部断面図）である。
【００４７】
次工程において、丸バリ４２、中バリ１６を除去する。中バリ１６は、その長手形状に対応して配置された３本のピンにより打ち抜かれる。丸バリ４２は、センター空間径より大きくリングバリ径より小さい径のピンにより打ち抜かれる。
【００４８】
さらに、センサーにより丸バリ４２、中バリ１６の落下を確認する。また、後工程において、カメラにより丸バリ４２、中バリ１６の有無を確認する。
【００４９】
従って、丸バリ４２が端部開口２１を介してチューブ容器内に混入するおそれは、ほぼない。更に、本実施形態では、下記の様に誤混入のおそれを大幅に軽減している。
【００５０】
〜誤混入防止〜
図３において説明したように、丸バリ４２は変形する。これにより、丸バリ４２の実質的な体積は大きくなり、膨張状態と同様の効果が得られる。すなわち、バリの誤混入を防止できる。
【００５１】
また、丸バリ４２の変形により、形状は複雑になり、混入の障害となる。すなわち、端部開口２１にて、センターバリ４４が引っ掛かる。これにより、バリの誤混入を防止できる。
【００５２】
なお、センターバリ４４直径がリングバリ４３直径の１／３以上であれば、上記効果はより確実になる。
【００５３】
さらに、リングバリ４３には設けられた突起４７も、混入の障害となり、バリの誤混入を防止できる。
【００５４】
ところで、上記で述べたように、本実施形態は、基本構成および基本工程に、簡易な構成と簡単な工程を付加したものである。従って、簡便に、バリの誤混入のおそれを大幅に軽減できる。
【００５５】
〜誤飲時安全確保〜
上記の様に、本実施形態では、下記の様に誤混入のおそれを大幅に軽減している。しかし、想定外に誤混入が生じるおそれは残る。バリが誤混入したチューブ容器に冷菓を充填して出荷すると、誤飲のおそれがある。消費者の安全には最も配慮すべきである。本実施形態では、下記の様に誤飲に対し安全を確保している。
【００５６】
リングバリ４３には突起４７は設けられており、誤飲が生じた場合でも、消費者は突起４７による違和感により、誤飲に気付く。また、センターバリ４４が口内で変動する。同様に、消費者は誤飲に気付く。これにより、誤飲に対する安全を確保できる。
【００５７】
また、図３において説明したように、センター空間４８が形成されている。誤飲が生じて丸バリ４２が気管に誤混入した場合でも、センター空間４８により、気道が確保される。これにより、誤飲に対する安全を確保できる。
【００５８】
なお、センターバリ４４直径がリングバリ４３直径の１／３以上であれば、上記効果はより確実になる。
【００５９】
〜変形例〜
上記に本発明の一実施形態について説明したが、本発明はこれに限定されるものではなく、その技術思想の範囲で種々の変形が可能である。
【００６０】
例えば、本発明において、リングバリ４３と、センターバリ４４と、連結部４５とが必須の構成であり、それ以外の構成は、なくともよい。
【００６１】
また、係合穴バリ，外バリ，内バリの一例として、丸バリ４２，リングバリ４３，センターバリ４４を用いて説明してきたが、形状はこれに限定されない。図４は、係合穴バリ，外バリ，内バリの複数の変形例を示す平面図である。
【符号の説明】
【００６２】
１  本体部
２  端部
３  開封溝
４  係合穴部
１１  本体頭部
１２  第１縦溝部
１３  本体中間部
１４  第２縦溝部
１５  本体部開口
１６  中バリ
２１  端部開口
４１  係合穴
４２  丸バリ（係合穴バリ）
４３  リングバリ（外バリ）
４４  センターバリ（内バリ）
４５  連結部
４６  溝
４７  突起
４８  センター空間
【図１】
2015074491.tif 000003
【図２】
2015074491.tif 000004
【図３】
2015074491.tif 000005
【図４】
2015074491.tif 000006